(57)【要約】【課題】暗部でオートフォーカス機能を用いて撮影を行った場合であっても、高画質な撮影画像を得る。【解決手段】撮影装置１００は、被写体を超高感度モードで撮影することにより撮影画像１ａを生成する撮影部１１ａと、被写体を画質優先モードで撮影することにより撮影画像１ｂを生成する撮影部１１ｂとを備え、撮影部１１ｂは、撮影部１１ａによって被写体を撮影したときに撮影部１１ａに設定された情報であって、撮影画像１ａの特徴量から導出される情報である設定情報４を用いて被写体を撮影する。【選択図】図１
2013078090.tif 000002
【特許請求の範囲】
【請求項１】
被写体を撮影する撮影装置であって、
前記被写体を第１の撮影モードで撮影することにより前記被写体の第１の画像を生成する第１の撮影手段と、
前記第１の撮影手段によって撮影された前記被写体を、前記第１の撮影モードとは異なる第２の撮影モードで撮影することにより前記被写体の第２の画像を生成する第２の撮影手段とを備え、
前記第２の撮影手段は、前記第１の撮影手段によって前記被写体を撮影したときに前記第１の撮影手段に設定された情報であって、前記第１の撮影手段によって生成された第１の画像の特徴量から導出される情報である設定情報を用いて、前記被写体を撮影することを特徴とする撮影装置。
【請求項２】
前記設定情報は、前記第１の撮影手段の前記被写体に対する焦点および露光を示す情報を含み、
前記第２の撮影手段は、前記設定情報に含まれる前記焦点を示す情報にしたがって前記第２の撮影手段の前記被写体に対する焦点を合わせるとともに、前記露光を示す情報にしたがって前記第２の撮影手段の露光を調整することを特徴とする請求項１に記載の撮影装置。
【請求項３】
前記第１の画像の特徴量から、前記撮影装置から前記被写体までの距離と前記被写体の輝度とを算出する算出手段をさらに備え、
前記第２の撮影手段は、前記算出手段によって算出された前記距離および前記輝度から前記設定情報を決定することを特徴とする請求項１または２に記載の撮影装置。
【請求項４】
前記第１の撮影モードは、前記被写体の認識を優先させる感度で、前記被写体を撮影するモードであり、
前記第２の撮影モードは、前記被写体の第２の画像の画質を優先させる感度で、前記被写体を撮影するモードであることを特徴とする請求項１から３のいずれか１項に記載の撮影装置。
【請求項５】
前記第２の撮影手段により生成された第２の画像を表示部に表示することを特徴とする請求項１から４のいずれか１項に記載の撮影装置。
【請求項６】
前記第２の画像に含まれるガンマ値を調整して、当該調整後の第２の画像を前記表示部に表示することを特徴とする請求項５に記載の撮影装置。
【請求項７】
前記設定情報は、前記第１の撮影手段の前記被写体に対する焦点を示す情報を少なくとも含み、
前記焦点を示す情報から定まる前記表示部の表示面における表示位置に、所定の図形を表示することを特徴とする請求項５または６に記載の撮影装置。
【請求項８】
前記第１の撮影手段と前記第２の撮影手段とは前記撮影装置の側面に所定間隔だけ離間した設置場所にそれぞれ設置されており、
前記設置場所の位置関係から定まる方向へ前記所定間隔から定まる長さだけ前記所定の図形を移動させることにより、当該図形の表示位置を補正する指標補正手段をさらに備えたことを特徴とする請求項７に記載の撮影装置。
【請求項９】
前記第１の撮影手段と前記第２の撮影手段とは前記撮影装置の側面に所定間隔だけ離間した設置場所にそれぞれ設置されており、
前記第１の撮影手段の撮影領域と前記第２の撮影手段の撮影領域とに、前記所定間隔に応じた差異が生じることで、前記第１の画像と前記第２の画像とは一部の領域が重複しており、
前記第２の画像を、当該重複した領域の一部または全部からなる画像に補正する領域補正手段をさらに備えたことを特徴とする請求項７に記載の撮影装置。
【請求項１０】
前記領域補正手段は、補正後の前記第２の画像のアスペクト比が、前記第１の画像のアスペクト比または補正前の前記第２の画像のアスペクト比と同一になるように、前記第２の画像を補正することを特徴とする請求項９に記載の撮影装置。
【請求項１１】
ユーザから所定の操作を受け付けたとき、前記第２の画像を記憶部に格納することを特徴とする請求項１から１０のいずれか１項に記載の撮影装置。
【請求項１２】
被写体を撮影する撮影装置の制御方法であって、
前記被写体を第１の撮影モードで撮影することにより前記被写体の第１の画像を生成する第１の撮影ステップと、
前記第１の撮影ステップによって撮影された前記被写体を、前記第１の撮影モードとは異なる第２の撮影モードで撮影することにより前記被写体の第２の画像を生成する第２の撮影ステップとを含み、
前記第２の撮影ステップは、前記第１の撮影ステップによって前記被写体を撮影したときに前記第１の撮影ステップで使用した情報であって、前記第１の撮影ステップによって生成された第１の画像の特徴量から導出される情報である設定情報を用いて、前記被写体を撮影することを特徴とする撮影装置の制御方法。
【請求項１３】
請求項１から１１のいずれか１項に記載の撮影装置を動作させるための制御プログラムであって、コンピュータを前記各手段として機能させるための制御プログラム。
【請求項１４】
請求項１３に記載の制御プログラムを記録したコンピュータ読み取り可能な記録媒体。
【発明の詳細な説明】
【技術分野】
【０００１】
本発明は、オートフォーカス機能を有する撮影装置等に関するものである。
【背景技術】
【０００２】
近年、オートフォーカス（ＡＦ）機能を搭載した撮影装置が普及している。ＡＦ機能とは、被写体に対する撮影装置の焦点を自動的に合わせる機能をいう。例えば、コントラスト検出方式に基づくＡＦ機能を搭載した撮影装置は、結像のコントラストが最も高くなるようレンズ位置を調整することにより、被写体に焦点を合わせる。この方式は、低コストで省スペースな機構でＡＦ機能を実現できるため、特にコンパクトデジタルカメラ等で広く採用されている。
【０００３】
また、ＡＦロックと呼ばれる機能を搭載した撮影装置も市販されている。ＡＦロック機能とは、ＡＦ機能により被写体に合わせた焦点の位置を固定（ロック）する機能である。この機能を有効にした撮影装置では、当該撮影装置が被写体に焦点を合わせた後であっても、ユーザは自由に構図を変更できる。一般の撮影装置には、ユーザがシャッタレリーズボタンを半押しするとＡＦ機能により合わされた焦点の位置がロックされ、構図を決めた後にユーザが当該ボタンを全押しすると被写体の撮影が行われるものが多い。
【０００４】
一方、顔認識を利用して焦点を合わせる方式も広く知られている。顔認識に基づくＡＦ機能を搭載した撮影装置は、撮影領域に含まれる人物の顔を検出し、その顔に対して焦点を合わせる。顔認識に基づくＡＦ機能によれば、撮影装置は被写体となる人物へ自動的に焦点を合わせることができるだけでなく、当該被写体が撮影領域の中央に位置しない構図（すなわち、コントラスト検出方式では被写体に焦点を合わせることが困難となる構図）であっても、ユーザはＡＦロック機能を明に用いることなく、その人物の顔に焦点を合わせることができる。
【０００５】
しかし、コントラスト検出方式に基づくＡＦ機能によれば、被写体からの反射光を十分に受光できる環境でなければ、撮影装置は当該被写体に焦点を合わせられない。したがって、夜間の撮影や照明の少ない屋内の撮影などでは、撮影装置は適切に被写体に焦点を合わせられないという欠点がある。同様に、顔認識に基づくＡＦ機能によれば、被写体となる人物の顔を認識できる程度に撮影領域が明るくなければ、撮影装置は当該被写体に焦点を合わせることができない。すなわち、暗部でＡＦ機能を有効に動作させることは、撮影装置に関する技術分野で重要な課題である。
【０００６】
この課題を解決するために、下記の特許文献１には、撮影領域に赤外線を照射し、反射した被写体光を受光することによって、撮影領域の照度が所定の基準値を下回る暗い環境（以下、「暗部」と称する）においても、被写体を画角に捉えて撮影できる撮像装置が開示されている。
【０００７】
また、下記の特許文献２には、ＡＦ等の動作の処理能力を上げて高速化した複眼式撮影装置が開示されている。
【０００８】
さらに、超高感度で撮影すれば、暗部においてもＡＦ機能を用いて撮影できることが一般に知られている。
【先行技術文献】
【特許文献】
【０００９】
【特許文献１】特開２００９−２６０８０１号公報（平成２１年１１月５日公開）
【特許文献２】特開２００７−１１０４９８号公報（平成１９年４月２６日公開）
【発明の概要】
【発明が解決しようとする課題】
【００１０】
しかし、特許文献１に開示された撮像装置は、照射する赤外線が到達できる距離にある被写体しか撮影できない。したがって、同文献に開示された技術は、暗部におけるＡＦ機能の動作を完全に保証するものではない。また、赤外線を照射する機構が大きく、電池の消耗も激しいことから、当該撮影装置は一般消費者向けに市販する撮影装置として不適当である。
【００１１】
また、特許文献２に記載された複眼式撮影装置は、ＡＦ機能の高速化を目的とした撮影装置であり、暗部での撮影を可能にする撮影装置ではない。
【００１２】
さらに、単に超高感度で撮影を行っただけでは、撮影画像の画質を大きく損なうことになる。
【００１３】
本発明は、上記の問題点に鑑みてなされたものであり、その目的は、一方の撮影モードのみで撮影することによって生じる欠点を、他方の撮影モードで撮影することにより得た情報で補うことにより、望ましい撮影を行える撮影装置等を提供することである。
【課題を解決するための手段】
【００１４】
上記の課題を解決するために、本発明の撮影装置は、
（１）被写体を撮影する撮影装置であって、
（２）前記被写体を第１の撮影モードで撮影することにより前記被写体の第１の画像を生成する第１の撮影手段と、
（３）前記第１の撮影手段によって撮影された前記被写体を、前記第１の撮影モードとは異なる第２の撮影モードで撮影することにより前記被写体の第２の画像を生成する第２の撮影手段とを備え、
（４）前記第２の撮影手段は、前記第１の撮影手段によって前記被写体を撮影したときに前記第１の撮影手段に設定された情報であって、前記第１の撮影手段によって生成された第１の画像の特徴量から導出される情報である設定情報を用いて、前記被写体を撮影することを特徴としている。
【００１５】
また、上記の課題を解決するために、本発明の撮影装置の制御方法は、
（１）被写体を撮影する撮影装置の制御方法であって、
（２）前記被写体を第１の撮影モードで撮影することにより前記被写体の第１の画像を生成する第１の撮影ステップと、
（３）前記第１の撮影ステップによって撮影された前記被写体を、前記第１の撮影モードとは異なる第２の撮影モードで撮影することにより前記被写体の第２の画像を生成する第２の撮影ステップとを含み、
（４）前記第２の撮影ステップは、前記第１の撮影ステップによって前記被写体を撮影したときに前記第１の撮影ステップで使用した情報であって、前記第１の撮影ステップによって生成された第１の画像の特徴量から導出される情報である設定情報を用いて、前記被写体を撮影することを特徴としている。
【００１６】
上記の構成によれば、本発明の撮影装置および本発明の撮影装置の制御方法は、互いに異なる２種類の撮影モードで被写体を少なくとも２回撮影する。そして、上記撮影装置等は、一方の撮影モードで撮影することにより得た設定情報を、他方の撮影モードにおける撮影で使用する。
【００１７】
したがって、互いに異なる２種類の撮影モードで被写体を少なくとも２回撮影し、一方の撮影モードで撮影することにより得た設定情報を他方の撮影モードにおける撮影で使用できるため、当該他方の撮影モードのみで撮影することによって生じる欠点を、当該設定情報で補うことができ、これにより望ましい撮影画像を得ることができる。
【００１８】
例えば、上記第１の撮影モードが、被写体の認識を優先させる感度で撮影する「超高感度モード」であり、上記第２の撮影モードが、被写体の画像の画質を優先して撮影する「画質優先モード」である場合、上記撮影装置等は、まず超高感度モードで被写体を撮影する。これにより、撮影装置１００は、ＡＦ機能を用いた撮影（以下、「ＡＦ撮影」ともいう）で必要となる設定情報を取得する。そして、上記撮影装置等は、当該設定情報を画質優先モードにしたがう撮影で使用することにより、ＡＦ機能を動作させつつ画質を高めた撮影を行える。したがって、上記の例における撮影装置等は、高画質のＡＦ撮影が一般に困難である暗部においても、高画質のＡＦ撮影を行うことができる。
【００１９】
また、本発明の撮影装置では、
（１）前記設定情報は、前記第１の撮影手段の前記被写体に対する焦点および露光を示す情報を含み、
（２）前記第２の撮影手段は、前記設定情報に含まれる前記焦点を示す情報にしたがって前記第２の撮影手段の前記被写体に対する焦点を合わせるとともに、前記露光を示す情報にしたがって前記第２の撮影手段の露光を調整することを特徴としている。
【００２０】
上記の構成によれば、設定情報が、第１の撮影手段の被写体に対する焦点および露光を示す情報を含んでいる。そして、第２の撮影手段は、当該設定情報に含まれる焦点を示す情報にしたがって第２の撮影手段の被写体に対する焦点を合わせ、露光を示す情報にしたがって第２の撮影手段の露光を調整する。
【００２１】
したがって、本発明の撮影装置は、第２の撮影手段の撮影モードで撮影するだけでは焦点および露光を示す情報を取得することが難しい環境（例えば暗部）においても、被写体に対する焦点を合わせるとともに露光を適切に調整できる。
【００２２】
また、本発明の撮影装置は、
（１）前記第１の画像の特徴量から、前記撮影装置から前記被写体までの距離と前記被写体の輝度とを算出する算出手段をさらに備え、
（２）前記第２の撮影手段は、前記算出手段によって算出された前記距離および前記輝度から前記設定情報を決定することを特徴としている。
【００２３】
上記の構成によれば、第２の撮影手段に設定される設定情報は、当該被写体までの距離と当該被写体の輝度から決定される。ここで、距離および輝度は、第１の撮影手段で撮影されることにより生成された第１の画像の特徴量から算出される。なお、特徴量とは、例えば当該第１の画像のコントラストである。
【００２４】
したがって、本発明の撮影装置は、一方の撮影モードで撮影することにより得た第１の画像の特徴量から算出された前記距離および前記輝度から決定される設定情報を、他方の撮影モードにおける撮影で使用できるため、当該他方の撮影モードのみで撮影することによって生じる欠点を、当該設定情報で補うことができ、これにより望ましい撮影画像を得ることができる。例えば、第１の撮影手段で撮影可能な環境（例えば暗部）において、画質を考慮したＡＦ撮影を行うことができる。
【００２５】
また、本発明の撮影装置では、
（１）前記第１の撮影モードは、前記被写体の認識を優先させる感度で、前記被写体を撮影するモードであり、
（２）前記第２の撮影モードは、前記被写体の第２の画像の画質を優先させる感度で、前記被写体を撮影するモードであることを特徴としている。
【００２６】
上記の構成によれば、第１の撮影手段は、被写体の認識を優先させて当該被写体を撮影できる。ここで「被写体の認識を優先させる感度」とは、例えば暗部においても第１の画像のコントラストが高くなる程度の受像素子の感度をいう。
【００２７】
また、第２の撮影手段は、被写体の画像の画質を優先させて当該被写体を撮影できる。ここで「被写体の画像の画質を優先させる感度」とは、例えばノイズの影響を受けにくくなることにより第２の画像の画質が高くなる程度の受像素子の感度をいう。
【００２８】
これにより、第１の撮影手段は、被写体の認識が困難となる環境においても、被写体を認識して撮影を行うことができ、第２の撮影手段は、撮影によって得られる画像の画質を高くして撮影できる。
【００２９】
すなわち、一方の撮影モードが有する欠点（被写体の画像の画質を重視すると暗部でＡＦできない）を他方の撮影モードが有する長所（画質を無視して被写体の認識を優先させればＡＦできる）で補完することにより、暗部においても画質を考慮したＡＦ撮影を実現できる。
【００３０】
また、本発明の撮影装置では、
（１）前記第２の撮影手段により生成された第２の画像を表示部に表示することを特徴としている。
【００３１】
上記の構成によれば、第２の撮影手段により生成された第２の画像が表示部に表示される。したがって、ユーザは、被写体を撮影した画像を視認することができる。
【００３２】
また、本発明の撮影装置では、
（１）前記第２の画像に含まれるガンマ値を調整して、当該調整後の第２の画像を前記表示部に表示することを特徴としている。
【００３３】
上記の構成によれば、第２の画像が表示部に表示される際に、当該第２の画像に含まれるガンマ値が調整される。
【００３４】
したがって、暗部で撮影したことにより第２の画像暗くそのままでは表示部にて視認しずらい場合であっても、第２の画像が明るくなるようにガンマ値を調整すれば、ユーザが表示部で被写体の確認を行うことが容易になる。
【００３５】
また、本発明の撮影装置では、
（１）前記設定情報は、前記第１の撮影手段の前記被写体に対する焦点を示す情報を少なくとも含み、
（２）前記焦点を示す情報から定まる前記表示部の表示面における表示位置に、所定の図形を表示することを特徴としている。
【００３６】
上記の構成によれば、表示部には第２の撮影手段により生成された第２の画像とともに、第１の撮影手段の被写体に対する焦点位置に図形が表示される。したがって、被写体に対する焦点位置をユーザに提示することができる。
【００３７】
また、本発明の撮影装置は、
（１）前記第１の撮影手段と前記第２の撮影手段とは前記撮影装置の側面に所定間隔だけ離間した設置場所にそれぞれ設置されており、
（２）前記設置場所の位置関係から定まる方向へ前記所定間隔から定まる長さだけ前記所定の図形を移動させることにより、当該図形の表示位置を補正する指標補正手段をさらに備えたことを特徴としている。
【００３８】
上記の構成によれば、第１の撮影手段と第２の撮影手段とは、撮影装置の側面の所定間隔だけ離間した設置場所にそれぞれ設置されている。そのため、第１の撮影手段の被写体に対する焦点位置と第２の撮影手段の被写体に対する焦点位置との間には、前記所定間隔に対応してずれが生じる。したがって、第１の撮影手段の被写体に対する焦点位置の図形を第２の画像とともに表示部に表示した場合、当該図形の表示位置は、第２の画像における被写体に対する正しい焦点位置を示さない。
【００３９】
上記構成によれば、当該図形の表示位置を、前記設置場所の位置関係から定まる方向へ前記所定間隔から定まる長さだけ移動させることにより上記のずれを補正するため、第２の画像における被写体に対する焦点位置を示す図形を適切な位置に表示できる。
【００４０】
また、本発明の撮影装置では、
（１）前記第１の撮影手段と前記第２の撮影手段とは前記撮影装置の側面に所定間隔だけ離間した設置場所にそれぞれ設置されており、
（２）前記第１の撮影手段の撮影領域と前記第２の撮影手段の撮影領域とに、前記所定間隔に応じた差異が生じることで、前記第１の画像と前記第２の画像とは一部の領域が重複しており、
（３）前記第２の画像を、前記重複した領域の一部または全部からなる画像に補正する領域補正手段をさらに備えたことを特徴としている。
【００４１】
上記の構成によれば、第１の撮影手段と第２の撮影手段とは、撮影装置の側面の所定間隔だけ離間した設置場所にそれぞれ設置されている。そのため、第１の撮影手段の撮影領域と第２の撮影手段の撮影領域との間には、前記所定間隔に対応して差異が生じる。したがって、第１の撮影手段の被写体に対する焦点位置の図形を第２の画像とともに表示部に表示した場合、当該図形の表示位置は、第２の画像における被写体に対する正しい焦点位置を示さない。
【００４２】
上記の構成によれば、第１の画像と第２の画像との共通部分を切り出して、新たに第２の画像として表示部に表示することにより、上記の差異を解消して焦点位置の図形を適切な位置に表示できる。
【００４３】
また、本発明の撮影装置では、
（１）前記領域補正手段は、前記補正後の第２の画像のアスペクト比が、前記第１の画像のアスペクト比または前記補正前の第２の画像のアスペクト比と同一になるように、前記第２の画像を補正することを特徴としている。
【００４４】
上記の構成によれば、補正後の第２の画像は、第１の画像または補正前の第２の画像とアスペクト比が同一となる。これにより、補正前後でアスペクト比が変更されることを防止できる。
【００４５】
また、本発明の撮影装置では、
（１）ユーザから所定の操作を受け付けたとき、前記第２の画像を記憶部に格納することを特徴としている。
【００４６】
上記の構成によれば、本発明の撮影装置は、ユーザによる所定の操作（例えば、シャッタレリーズボタンの全押し操作）を受け付けたときに、第２の画像を最終的な撮影画像として記憶部に記憶させることができる。
【００４７】
なお、前記撮影装置はコンピュータによって実現してもよい。この場合には、コンピュータを前記撮影装置の各手段として動作させることにより、前記撮影装置をコンピュータで実現させる制御プログラム、およびこれを記録したコンピュータ読み取り可能な記録媒体も本発明の範疇に入る。
【発明の効果】
【００４８】
以上のように、本発明の撮影装置は、被写体を撮影する撮影装置であって、前記被写体を第１の撮影モードで撮影することにより前記被写体の第１の画像を生成する第１の撮影手段と、前記第１の撮影手段によって撮影された前記被写体を、前記第１の撮影モードとは異なる第２の撮影モードで撮影することにより前記被写体の第２の画像を生成する第２の撮影手段とを備え、前記第２の撮影手段は、前記第１の撮影手段によって前記被写体を撮影したときに前記第１の撮影手段に設定された情報であって、前記第１の撮影手段によって生成された第１の画像の特徴量から導出される情報である設定情報を用いて、前記被写体を撮影する構成である。
【００４９】
また、本発明の撮影装置の制御方法は、被写体を撮影する撮影装置の制御方法であって、前記被写体を第１の撮影モードで撮影することにより前記被写体の第１の画像を生成する第１の撮影ステップと、前記第１の撮影ステップによって撮影された前記被写体を、前記第１の撮影モードとは異なる第２の撮影モードで撮影することにより前記被写体の第２の画像を生成する第２の撮影ステップとを含み、前記第２の撮影ステップは、前記第１の撮影ステップによって前記被写体を撮影したときに前記第１の撮影ステップで使用した情報であって、前記第１の撮影ステップによって生成された第１の画像の特徴量から導出される情報である設定情報を用いて、前記被写体を撮影する構成である。
【００５０】
したがって、互いに異なる２種類の撮影モードで被写体を少なくとも２回撮影し、一方の撮影モードで撮影することにより得た設定情報を他方の撮影モードにおける撮影で使用できるため、当該他方の撮影モードのみで撮影することによって生じる欠点を、当該設定情報で補うことができ、これにより望ましい撮影画像を得ることができるという効果を奏する。
【図面の簡単な説明】
【００５１】
【図１】本発明の一実施形態に係る撮影装置の要部構成を示すブロック図である。
【図２】図１に示した撮影装置の動作例の概要を表す概略図である。
【図３】図１に示した撮影装置の外観例を表し、（ａ）は被写体を撮影する際に当該被写体へ向ける面の外観、（ｂ）は被写体を撮影する際にユーザへ向ける面の外観を表した模式図である。
【図４】図１に示した撮影装置が実行する処理の一例を示すフローチャートである。
【図５】本発明の異なる実施形態に係る撮影装置の要部構成を示すブロック図である。
【図６】複数の撮影部が、図５に示した撮影装置の側面に所定間隔だけ離間した設置場所にそれぞれ設置されていることにより生じる撮影領域の違い、および表示部に表示される焦点位置を示す画像の、当該表示部の表示面におけるずれを表した模式図である。
【図７】撮影部で撮影した撮影画像と、別の撮影部で撮影した撮影画像とを被写体が重複するように重ね合わせ、当該重複部分において２枚の撮影画像のアスペクト比と同一になる所定の部分の一例を示した模式図である。
【図８】図５に示した撮影装置が実行する処理の一例を示すフローチャートである。
【図９】本発明のさらに異なる実施形態に係る撮影装置の要部構成を示すブロック図である。
【発明を実施するための形態】
【００５２】
以下、本発明の実施の形態について、図１〜図４に基づいて詳細に説明する。なお、１つの符号にａ、ｂ、またはｃが付されることにより複数存在することが明示されている構成については、説明を簡潔に記述するために、これらを省略して当該構成を総称することがある（例えば、撮影画像１ａ、１ｂ、および１ｃを、「撮影画像１」と総称することがある）。
【００５３】
〔撮影装置１００の概要〕
図２に基づいて、本実施の形態に係る撮影装置１００の概要について説明する。図２は、撮影装置１００の動作例の概要を表す概略図である。本実施の形態に係る撮影装置１００は、２つの撮影部１１ａおよび１１ｂを備えた、いわゆる「二眼カメラ」である。ユーザが暗部で被写体９の撮影を行う場合、撮影装置１００は以下の３つのステップで撮影処理を実行する。
【００５４】
まず、撮影装置１００は、（１）超高感度モード（第１の撮影モード）で撮影を行う撮影部（第１の撮影手段）１１ａに被写体９を撮影させる。ここで、「超高感度モード」とは、撮影装置１００が、撮影部１１が備える撮影素子１３（一般には「受像素子」または「撮像素子」ともいう）の感度を、被写体の認識を優先させる感度にまで高めて撮影するモードをいう。超高感度モードの撮影で得られた撮影画像（第１の画像）１ａには多くのノイズが含まれるため画質が悪いが、通常の撮影（撮影素子の感度を高めない撮影）に比べてコントラスト（第１の画像の特徴量）３が明瞭に現れる。なお、超高感度モードでは、後述する画質優先モードより、撮影素子１３の感度が高い。
【００５５】
次に、撮影装置１００は、（２）超高感度モードの撮影によって通常より明瞭に得られたコントラスト３から撮影条件２を算出し、算出結果を撮影部（第２の撮影手段）１１ｂへ伝達する。なお、撮影条件２は、撮影部１１ａから被写体９までの距離と、被写体９の輝度とを少なくとも含む。
【００５６】
最後に、撮影装置１００は、（３）伝達された撮影条件２から設定情報４を決定し、画質優先モード（第２の撮影モード）で撮影を行う撮影部（第２の撮影手段）１１ｂに当該設定情報を設定して、当該撮影部に被写体９を再度撮影させる。撮影装置１００は、この撮影により生成された撮影画像（第２の画像）１ｂを、最終的な画像として記憶部５０に格納する。
【００５７】
ここで、設定情報４は、撮影条件２から算出可能な撮影部１１ｂの被写体９に対する焦点および露光を示す情報を少なくとも含む。また、「画質優先モード」とは、撮影装置１００が、撮影部１１が備える撮影素子１３の感度を、撮影画像１ｂの画質が高くなる感度にして撮影するモードをいう。撮影画像１ｂは撮影画像１ａより高画質である。
【００５８】
以上を簡潔にまとめると、本実施の形態に係る撮影装置１００は、通常とは異なるモード（超高感度モード）で撮影することにより得た撮影条件２を、撮影部１１ａと撮影部１１ｂとで共有することにより、一方のモード（画質優先モード）が有する欠点（画質を重視すると暗部でＡＦできないこと）を当該異なるモードが有する長所（画質を考慮しない超高感度撮影であればＡＦできること）で補完する。これにより、撮影装置１００は、暗部においても「画質を考慮したＡＦ撮影」を行うことができる。
【００５９】
なお、以下では、撮影装置１００に搭載されたＡＦ機能は、コントラスト検出方式に基づいて焦点等の調整を行うとして説明するが、暗部で取得した撮影条件２または撮影画像１ａに基づいて撮影部１１ｂの焦点および露光を自動的に調整できさえすれば、その調整を行う方式は任意である。
【００６０】
また、本発明は、通常のＡＦ撮影だけでなく、顔認識ＡＦやチェイスフォーカスを用いた撮影にも適用できる。
【００６１】
また、前述した通り、本実施の形態に係る撮影装置１００は、２つの撮影部１１ａおよび１１ｂを備え、撮影部１１ａを超高感度モードで動作させ、撮影部１１ｂを画質優先モードで動作させる。しかし、撮影装置１００が互いに異なるモードに設定された撮影部を複数備える構成としたのは、あくまで説明を分かりやすくするための便宜であり、単一の撮影部を備える構成（撮影装置１００が単眼のカメラである場合）によっても上記処理は実現可能であることに注意する。すなわち、撮影装置１００は、上記２つの撮影モードを切り替えて当該撮影部を動作させることにより、上記（１）〜（３）の撮影を行うこともできる。
【００６２】
〔撮影装置１００の外観〕
図３に基づいて、本実施の形態に係る撮影装置１００の外観例について説明する。図３は、撮影装置１００の外観例を表し、（ａ）は被写体を撮影する際に当該被写体へ向ける面の外観、（ｂ）は被写体を撮影する際にユーザへ向ける面の外観を表した模式図である。図示のように、撮影装置１００は、被写体へ向ける面に２つの撮影部１１ａおよび１１ｂを備え、ユーザへ向ける面に撮影画像１ｂを表示するための表示部４０を備える。
【００６３】
また、撮影装置１００は、筐体の上部にシャッタレリーズボタン２０ａを備える。ユーザがシャッタレリーズボタン２０ａを半押しすると、撮影制御部１２ｂが撮影素子１３ｂに設定情報４（焦点および露光）を設定し、その設定を維持した状態になる（ＡＦロック機能が動作する）。このとき、撮影部１１ｂから逐次出力される撮影画像１ｂが、表示部４０に表示される。そして、ユーザが撮影の構図を決めた後にシャッタレリーズボタン２０ａを全押しすると、撮影画像１ｂが記憶部５０に記憶される。
【００６４】
なお、上記の外観および操作は例示であることに注意する。すなわち、表示部４０の大きさやシャッタレリーズボタン２０ａの設置位置、半押し・全押し操作に対する機能の割り当てなどは、図示の態様および上記の記載に限定されない。例えば、撮影装置１００の側面にボタンを２つ設置し、それぞれにＡＦロック機能の動作と撮影とを割り当てることにしてもよい。
【００６５】
また、シャッタレリーズボタン２０ａは、同図に示されるボタン等（ハードウェアインターフェース）でなくともよい。例えば、表示部４０がタッチパネルを備えた液晶画面である場合、ユーザはこの液晶画面に表示されたソフトウェアキーに接触することで、上記の半押し、全押しと同等の操作を行うことができるようにしてもよい。
【００６６】
以下では、ユーザがシャッタレリーズボタン２０ａを半押しする操作を「ユーザ操作５ａ」、全押しする操作を「ユーザ操作（所定の操作）５ｂ」と称する。なお、前述のように、ユーザ操作５ａによりＡＦロック機能が動作し、ユーザ操作５ｂにより撮影画像１ｂが記憶部５０に記憶される。
【００６７】
〔撮影装置１００の構成〕
図１に基づいて、本実施の形態に係る撮影装置１００の構成について説明する。図１は、撮影装置１００の要部構成を示すブロック図である。図示のように、撮影装置１００は、制御部１０、撮影部１１、コントラスト検出部１４、撮影条件算出部（算出手段）１５、入力部２０、表示制御部３０、表示部４０、および記憶部５０を含む。
【００６８】
また、撮影部１１ａは撮影制御部１２ａおよび撮影素子１３ａを含み、撮影部１１ｂは撮影制御部１２ｂおよび撮影素子１３ｂを含む。撮影条件算出部１５は、距離算出部１６および輝度算出部１７を含む。
【００６９】
なお、本実施の形態に直接関係のない部分（例えば、フラッシュを点灯させる機能やＧＰＳ情報を取得する機能などを実現する部分）は、記載の簡潔性を担保する観点から、構成の説明およびブロック図から省略した。なお、説明を省略することが、本実施の形態に係る構成に当該省略した構成が含まれ得ないことを意味するわけではない。すなわち、実施の実情に則して、本実施の形態に係る撮影装置１００は当該省略した構成を含んでもよい。
【００７０】
以下より、制御部１０、撮影部１１（撮影制御部１２、撮影素子１３）、コントラスト検出部１４、撮影条件算出部１５（距離算出部１６、輝度算出部１７）、その他の構成（入力部２０、表示制御部３０、表示部４０、記憶部５０）の順序で各構成が担う機能を説明する。
【００７１】
（制御部１０）
制御部１０は、ユーザ操作５または撮影条件算出部１５の処理に応じて、撮影部１１および表示制御部３０を制御する。すなわち、制御部１０は、入力部２０を介したユーザ操作５ａの入力を検出した場合に、超高感度モードに設定した撮影部１１ａを動作させ、撮影条件算出部１５が撮影条件２を算出した場合に、画質優先モードに設定した撮影部１１ｂを動作させる。また、制御部１０は、ユーザ操作５ｂの入力を検出した場合に、当該ユーザ操作を検出した時点で表示制御部３０に入力されていた撮影画像１ｂを記憶部５０に記憶させる。
【００７２】
（撮影部１１）
撮影部１１は、撮影画像１（被写体９を撮影して得られる画像をいう）を出力する。撮影装置１００で想定する前述した撮影モード（超高感度モード、画質優先モード）で撮影できさえすれば、撮影部１１はいかなる機器等でもよい。
【００７３】
撮影制御部１２ａは、制御部１０からの動作指示（具体的には、ユーザ操作５ａが入力されたことを示す信号）を受けると、撮影素子１３ａに設定情報４を設定して被写体９を撮影する。そして、この撮影により生成された撮影画像１ａをコントラスト検出部１４へ出力する。また、設定情報４を記憶部５０に格納する。
【００７４】
一方、撮影制御部１２ｂは、制御部１０からの記録指示（具体的には、ユーザ操作５ｂが入力されたことを示す信号）を受けると、撮影条件算出部１５から入力された撮影条件２から設定情報４を生成し、これを撮影素子１３ｂに設定する。すなわち、撮影制御部１２ｂは、設定情報４に含まれる焦点を示す情報にしたがって撮影素子１３ｂの被写体９に対する焦点を合わせるとともに、露光を示す情報にしたがって撮影素子１３ｂの露光を調整する。ここで、撮影条件２から設定情報４を生成する方法には、従来から周知の方法を用いる。そして、撮影制御部１２ｂは被写体９を撮影し、この撮影により生成された撮影画像１ｂを表示制御部３０に出力する。
【００７５】
なお、撮影制御部１２ａおよび１２ｂは、ＤＳＰ（digital signal processor）等で構成される。
【００７６】
撮影素子１３は、外部から光を入射して撮影画像１を形成する受像素子（撮像素子）であり、例えば一般的なＣＣＤ（charge-coupled device）やＣＭＯＳ（complementary metal oxide semiconductor）などでよい。撮影素子１３は、撮影制御部１２から入力される設定情報４にしたがって、少なくとも焦点および露光を調整し、撮影画像１を撮影制御部１２へ出力する。
【００７７】
なお、前述したように、撮影部１１ａは超高感度モードで、撮影部１１ｂは画質優先モードで撮影を行うように設定されている。また、撮影装置１００は、撮影部１１、撮影制御部１２、および撮影素子１３を２つずつ備えた構成としているが、超高感度モードと画質優先モードとを独立して使用できる構成でありさえすればよく、撮影装置１００に含まれる撮影部１１の数は、単数であっても３以上の複数であっても構わない。
【００７８】
撮影装置１００が単一の撮影部１１（撮影制御部１２、撮影素子１３）を備えた場合、ユーザ操作５ａの入力を検出した制御部１０が、撮影制御部１２を超高感度モードで被写体９を撮影させる。後述する撮影条件算出部１５が、当該撮影で生成された撮影画像１ａの特徴量から撮影条件２を算出し、これを撮影部１１へ入力する。制御部１０は、撮影制御部１２を画質優先モードで被写体９を撮影させ、生成された画像を記憶部５０に記憶させる。
【００７９】
（コントラスト検出部１４）
コントラスト検出部１４は、撮影画像１ａに含まれるＲＧＢ信号から被写体９のコントラスト３を検出する。ここで、撮影部１１ａによる撮影画像１ａの取得とコントラスト検出部１４によるコントラスト３の検出とは、所定の条件が満たされるまで繰り返されることに注意する。すなわち、撮影部１１ａおよびコントラスト検出部１４は、設定情報４をサンプリングし、得られた撮影画像１ａのコントラスト３を検出する一連の処理を繰り返すことにより、コントラスト３の最大値を特定する。コントラスト検出部１４は、特定した最大のコントラスト３を撮影条件算出部１５へ出力する。
【００８０】
（撮影条件算出部１５）
撮影条件算出部１５は、コントラスト検出部１４から入力されたコントラスト３に基づいて、撮影部１１ａが被写体９を撮影したときの撮影条件２を算出し、これを撮影制御部１２ｂへ出力する。なお、前述したように、撮影条件２は、撮影部１１ａから被写体９までの距離と被写体９の輝度とを少なくとも含む。
【００８１】
距離算出部１６は、コントラスト検出部１４から入力されたコントラスト３から、撮影部１１ａから被写体９までの距離を算出する。
【００８２】
輝度算出部１７は、コントラスト検出部１４から入力されたコントラスト３から、被写体９の輝度を算出する。
【００８３】
（その他の構成）
入力部２０は、ユーザ操作５を受け付ける。ユーザからの入力を受け付けるインターフェースであれば、具体的な機器に限定されない。例えば、図３の外観図を参照して説明したシャッタレリーズボタン２０ａでもよい。または、撮影装置１００に備えられたその他のボタン、キーボード、マウスなど、一般的な入力インターフェースであってもよい。
【００８４】
なお、ユーザが入力に使用するインターフェースは、物理的なボタン等を備えたハードウェアインターフェースでなくともよい。例えば、表示部４０がタッチパネルを備えた液晶画面である場合、ユーザはこの液晶画面に表示されたソフトウェアキーに入力部２０として接触することで、撮影装置１００にユーザ操作５を与えてもよい。
【００８５】
表示制御部３０は、撮影部１１ｂが出力する撮影画像１ｂを、表示部４０で表示可能な形式にしたがう表示データに変換する。これにより、撮影画像１ｂを表示部４０に表示する。ここで、表示制御部３０は、撮影画像１ｂを表示データへ形式変換できるものであればよく、例えば一般のディスプレイアダプタでよい。
【００８６】
このとき、表示制御部３０は、撮影画像に含まれるガンマ値を調整して表示部４０へ表示してもよい。これにより、ユーザが視認しやすいように撮影画像を表示できる。ただし、ノイズだらけになることを防ぐために、超高感度モードと同程度になるほどには、表示制御部３０はガンマ値を調整しない。
【００８７】
また、表示制御部３０は、制御部からの記憶指示を受けて、制御部１０がユーザ操作５ｂの入力を検出した時点で表示制御部３０に入力されていた撮影画像１ｂを記憶部５０に格納する。ここで、表示制御部３０は、撮影画像１ｂに対してもガンマ値の調整を行ってもよい。ただし、余計なノイズが混入することを防ぐために、その補正量は小さくすることが望ましい。
【００８８】
さらに、表示制御部３０は、撮影部１１ａが記憶部５０へ格納した設定情報４を読み出し、設定情報４に含まれる被写体９に対する焦点を示す情報から、一意に定まる表示部４０の表示面における位置に、焦点位置（被写体に対する焦点を示す情報）を示す画像（所定の図形、いわゆる「フォーカス枠」のこと）８を表示する。なお、焦点位置を示す画像８は、図６を参照して後述するように、例えば十字の図形である（この場合、十字の交点が焦点位置を示す）が、焦点位置が分かりやすい図形であればどのような図形であってもよい。
【００８９】
表示部４０は、撮影画像１ｂを表示する装置である。表示機能を有する装置であればハードウェアの種類は限定されず、例えばＬＣＤ（Liquid Crystal Display）、ＰＤＰ（Plasma Display Panel）、ＥＬ（Electroluminescence）ディスプレイなどの表示素子と、表示制御部３０から入力を受けた表示データに基づいて表示素子を駆動するドライバ回路とを備える装置等で構成できる。
【００９０】
記憶部５０は、撮影部１１によって撮影された撮影画像１、表示部４０へ出力する前に一時保存すべき撮影画像１ｂ、画質調整のためのパラメータ、その他の撮影装置１００の動作に必要な各種データ等を記憶する不揮発性の記憶装置であり、例えば半導体メモリ、ハードディスク、ＤＶＤ（Digital Versatile Disk）等で構成できる。なお、本実施の形態では、記憶部５０が撮影装置１００に内蔵される機器として図１に示しているが、撮影装置１００の外部に接続された外部の記憶装置として実現されてもよい。
【００９１】
また、図１では、撮影装置１００が記憶装置として記憶部５０を１つだけ備え、各構成がすべての情報を記憶部５０に記憶させるように表現しているが、撮影装置１００が複数の記憶装置を備え、各構成が必要に応じて所定の記憶装置を使い分ける構成としてもよい。例えば、実施の形態３で後述するように、表示制御部３０が画像メモリと接続されており、表示部４０に出力する前の撮影画像１を当該画像メモリに一時保存しておくこともできる。あるいは、制御部１０が、各種の処理に必要な情報を保存するためのＲＡＭ（Random Access Memory）を備えていてもよい。
【００９２】
〔撮影装置１００が実行する処理〕
図４に基づいて、撮影装置１００が実行する処理の流れを説明する。図４は、撮影装置１００が実行する処理の一例を示すフローチャートである。
【００９３】
まず、制御部１０は、撮影装置１００の初期化を行う（ステップ１：以下、Ｓ１のように略記する）。ここで、初期化は、撮影装置１００の電源が投入されたときに行う処理であり、例えば起動時の撮影モードの確認処理や、その他の撮影機能を起動するための処理を行う。なお、ここでは、起動時の撮影モードが「暗部においても画質を考慮したＡＦ撮影を行うモード（超高感度ＡＦロックモード）」であるものとして説明を進める。なお、起動時の撮影モードは記憶部５０に記憶されているものとする。そして、この初期化処理が完了すれば（Ｓ２においてＹＥＳ）、制御部１０はユーザによる撮影操作（ユーザ操作５ａ）を待機する（Ｓ３）。
【００９４】
制御部１０が撮影操作を検出した場合（Ｓ３においてＹＥＳ）、制御部１０は超高感度モードに設定された撮影部１１ａを動作させ、被写体９の撮影を行う（Ｓ４、第１の撮影ステップ）。具体的には、撮影制御部１２ａが制御部１０からの動作指示を受けると、撮影制御部１２ａは、撮影素子１３ａに設定情報４を設定する。撮影素子１３ａは、撮影制御部１２ａから入力される設定情報４にしたがって、少なくとも焦点および露光を調整し、撮影画像１ａを撮影制御部１２ａへ出力する。撮影制御部１２ａは、撮影により得られた撮影画像１ａをコントラスト検出部１４へ出力する。
【００９５】
次に、コントラスト検出部１４は、撮影制御部１２ａから入力された撮影画像１ａに含まれるＲＧＢ信号から被写体９のコントラスト３を検出し、これを撮影条件算出部１５へ出力する（Ｓ５）。撮影条件算出部１５は、コントラスト検出部１４から入力されたコントラスト３に基づいて、撮影部１１ａが被写体９を撮影したときの撮影条件２を算出し、これを撮影制御部１２ｂへ出力する（Ｓ６、Ｓ７）。より具体的には、距離算出部１６が、コントラスト検出部１４から入力されたコントラスト３から、撮影部１１ａから被写体９までの距離を算出し（Ｓ６）、輝度算出部１７が、コントラスト検出部１４から入力されたコントラスト３から、被写体９の輝度を算出する（Ｓ７）。
【００９６】
そして、制御部１０は、撮影条件算出部１５が撮影条件２を算出したとき、画質優先モードに設定した撮影部１１ｂを動作させ、被写体９の撮影を行う（Ｓ８、第２の撮影ステップ）。具体的な撮影処理は、上記の撮影部１１ａの場合と同様である。ただし、撮影制御部１２ｂが撮影素子１３ｂに設定する設定情報４は、撮影部１１ａによる撮影で、撮影画像１ａのコントラスト３が最大になったときの設定情報であることに注意する。
【００９７】
最後に、制御部１０は、ユーザによる撮影の操作（ユーザ操作５ｂ）を待機する（Ｓ９）。制御部１０が上記操作を検出した場合（Ｓ９においてＹＥＳ）、制御部１０は、上記操作の入力を検出した時点で表示制御部３０に入力されていた撮影画像１ｂを記憶部５０に記憶させる（Ｓ１０）。
【００９８】
〔撮影装置１００により奏される効果〕
撮影装置１００によれば、互いに異なる２種類の撮影モードで被写体を少なくとも２回撮影し、一方の撮影モードで撮影することにより得た設定情報を他方の撮影モードにおける撮影で使用できるため、当該他方の撮影モードのみで撮影することによって生じる欠点を、当該設定情報で補うことができ、これにより望ましい撮影画像を得ることができる。
【００９９】
具体的には、撮影装置１００は超高感度モードで被写体９を撮影することにより、暗部においても当該撮影装置から被写体９までの距離および被写体９の輝度を撮影条件２として算出でき、この撮影条件２を画質優先モードにしたがう撮影で使用する。これにより、撮影装置１００は、暗部においても画質を考慮したＡＦ撮影を行うことができるという効果を奏する。
【０１００】
〔実施の形態２〕
以下、本発明の他の実施の形態について、図５〜図８に基づいて詳細に説明する。なお、本実施の形態では、前述した実施の形態１に追加される構成のみについて説明する。すなわち、実施の形態１で記載された構成等は、実施の形態２にも含まれる。さらに、実施の形態１で記載した用語の定義についても同じである。
【０１０１】
〔撮影装置２００の概要〕
図６、７に基づいて、本実施の形態に係る撮影装置２００の概要を説明する。図６は、撮影部１１ａと１１ｂとが撮影装置２００の側面に所定間隔だけ離間した設置場所にそれぞれ設置されていることにより生じる撮影領域の違い、および表示部４０に表示される焦点位置を示す画像８の、当該表示部の表示面におけるずれを表した模式図である。
【０１０２】
図７は、撮影部１１ａで撮影した撮影画像１ａと、撮影部１１ｂで撮影した撮影画像１ｂとを被写体９が重複するように重ね合わせ、当該重複部分において撮影画像１ａ、１ｂのアスペクト比と同一になる所定の部分（重複した領域の一部または全部）７の一例を示した模式図である。
【０１０３】
図６に示すように、撮影部１１ａと１１ｂとは、撮影装置２００の側面に所定間隔だけ離間した設置場所にそれぞれ設置されている。これにより、撮影部１１ａと１１ｂとの画角が互いに異なるため、撮影領域が異なる（所定間隔に応じた差異が生じる）。したがって、表示部４０において、撮影部１１ａによる撮影で特定した焦点位置を示す画像８ａを、撮影部１１ｂによる撮影で得られた撮影画像１ｂに重畳表示すると、撮影部１１ｂに設定された真の焦点位置ではなく、当該焦点位置からずれた焦点位置を示す画像８ｂが表示される。この不具合を解決するための方法として、以下の２つが考えられる。
【０１０４】
第一に、焦点位置を示す画像８ａおよび８ｂの表示部４０における表示位置が一致するように、焦点位置を示す画像８ｂの表示位置を補正する方法が考えられる。すなわち、撮影装置１００の側面における撮影部１１ａおよび１１ｂの設置場所の位置関係が決まれば、焦点位置を示す画像８ｂの表示位置の補正量および補正方向は一意に決まるため、例えば記憶部５０にあらかじめ補正量および補正方向を記憶しておけば、これを読み出して補正できる。
【０１０５】
第二に、撮影画像１ａと撮影画像１ｂとの重複部分を切り出して新たな画像（調整後の第２の画像）を生成し、これを表示部４０に表示する方法が考えられる。すなわち、図７に示すように、例えば撮影画像１ａまたは１ｂのアスペクト比と同一となるように重複部分から画像を切り出して表示部４０に表示すれば、焦点位置を示す画像８ａと８ｂとは一致する。
【０１０６】
〔撮影装置２００の構成〕
図５に基づいて、本実施の形態に係る撮影装置２００の構成について説明する。図５は、撮影装置２００の要部構成を示すブロック図である。図示のように、撮影装置２００は、制御部１０、撮影部１１、コントラスト検出部１４、撮影条件算出部１５、入力部２０、表示制御部３０、表示部４０、記憶部５０、および画像補正部６０を含む。
【０１０７】
また、撮影部１１ａは撮影制御部１２ａおよび撮影素子１３ａを含み、撮影部１１ｂは撮影制御部１２ｂおよび撮影素子１３ｂを含む。撮影条件算出部１５は、距離算出部１６および輝度算出部１７を含む。画像補正部６０は、ファインダー表示補正部（指標補正手段）６１および領域補正部（領域補正手段）６２を含む。
【０１０８】
なお、前述と同様に、本実施の形態に直接関係のない部分は構成の説明およびブロック図から省略した。また、前述した撮影装置１００に含まれる構成と同一の構成には同一の符号を付すことにより説明を省略するため、以下では画像補正部６０（ファインダー表示補正部６１、領域補正部６２）が担う機能のみを説明する。
【０１０９】
画像補正部６０は、上記の概要で説明した第一の方法または第二の方法により、上記の不具合を解決する。すなわち、ファインダー表示補正部６１が第一の方法、領域補正部６２が第二の方法により、上記の不具合を解決する。なお、本実施の形態では、撮影装置２００がファインダー表示補正部６１および領域補正部６２の両方を備えた構成として説明しているが、上記の不具合を解決するためには、いずれか一方の構成を備えていれば足りるため、撮影装置２００が両方を備えている必要はない。
【０１１０】
ファインダー表示補正部６１は、撮影部１１ａが撮影のために使用する撮影素子１３ａと、撮影部１１ｂが撮影のために使用する撮影素子１３ｂとの、撮影装置２００の側面における設置場所の位置関係に基づいて、焦点位置を示す画像８の表示部４０における表示位置のずれを補正する。
【０１１１】
すなわち、上記設置場所の位置関係は所与である（例えば、撮影装置２００の外部形状等を設計する段階で決まる）ため、ファインダー表示補正部６１は、当該位置関係から一意に定まる方向（設置場所の位置関係から定まる方向）および長さ（所定間隔から定まる長さ）に応じて、焦点位置を示す画像８の表示位置を補正するための補正信号を表示制御部３０へ出力する。このとき、撮影制御部１２ｂから入力された撮影画像１ｂも、同時に表示制御部３０へ出力する。表示制御部３０は、撮影画像１ｂを表示するとともに、当該補正信号にしたがって焦点位置を示す画像８の表示位置を補正して表示する。
【０１１２】
領域補正部６２は、撮影部１１ａの撮影領域と撮影部１１ｂの撮影領域との差異から生じる、撮影画像６ａと撮影画像６ｂとのずれを補正した撮影画像（調整後の第２の画像）１ｃを生成し、表示制御部３０へ出力する。
【０１１３】
〔撮影装置２００が実行する処理〕
図８に基づいて、撮影装置２００が実行する処理の流れを説明する。図８は、撮影装置２００が実行する処理の一例を示すフローチャートである。
【０１１４】
ここで、撮影装置２００が実行する処理は、図４を参照して説明した撮影装置１００が実行する処理と大部分が同一であり、同一の処理については同一の符号を付すことにより説明を省略する。したがって、以下ではファインダー表示補正部６１および領域補正部６２が実行する処理（図８においてＳ１１、Ｓ１２）のみ説明する。
【０１１５】
画像補正部６０（ファインダー表示補正部６１または領域補正部６２）は、撮影部１１ｂから撮影画像１ｂが入力されると、焦点位置を示す画像８の表示部４０における表示位置のずれを補正する（Ｓ１１、Ｓ１２）。
【０１１６】
なお、前述したように、表示部４０に表示されるフォーカス枠を補正するためには、ファインダー表示補正部６１によるＳ１１、または領域補正部６２によるＳ１２のいずれか一方を実行するだけで足りる。すなわち、上記の説明および図８では、記載を簡潔にするために、一連の処理の中で両方が実行されるように表現したが（すなわち、図８では、Ｓ１１の後にＳ１２が実行されるように表したが）、Ｓ１１またはＳ１２のいずれかを行わないようにしてもよい。
【０１１７】
〔撮影装置２００により奏される効果〕
撮影装置２００が複数の撮影部１１を備える場合、撮影装置２００における設置場所の差異が原因で、表示部４０に表示される焦点位置を示す画像８が正しい位置からずれる場合であっても、撮影装置２００は当該画像を上記正しい位置に補正して表示部４０に表示できるという効果を奏する。
【０１１８】
〔実施の形態３〕
以下、本発明のさらなる他の実施の形態について、図９に基づいて詳細に説明する。なお、本実施の形態では、実施の形態１で説明した撮影装置１００、または実施の形態２で説明した撮影装置２００と、同等の機能を有する撮影装置３００を想定する。すなわち、本実施の形態に係る撮影装置３００は、撮影装置１００または撮影装置２００の異なる実現例に相当し、本質的な機能は変わらない。
【０１１９】
図９に基づいて、本実施の形態に係る撮影装置３００の構成について説明する。図９は、撮影装置１００または撮影装置２００と同等の機能を有する撮影装置３００の要部構成を示すブロック図である。撮影装置３００は、画質制御部（制御部１０）、カメラＤＳＰ１（撮影制御部１３ａ）、カメラＤＳＰ２（撮影制御部１３ｂ）、カメラ１（撮影素子１２ａ）、カメラ２（撮影素子１２ｂ）、画質調整データベース部（記憶部５０）、ＡＦロックデータ連携部、ＡＦロック処理部（コントラスト検出部１３、撮影条件算出部１４）、ＣＰＵおよびＲＡＭ（制御部１０）、カメラ機能制御部（制御部１０）、不揮発メモリ（記憶部５０）、表示制御部（表示制御部３０）、画像メモリ（記憶部５０）、ファインダー表示部（表示部４０）、ファインダー表示補正部（画像補正部６０、ファインダー表示補正部６１）、電源Ｉ／Ｆ（入力部２０）、操作部（入力部２０）、メモリ記録部（記憶部５０）、および記録メディア（記憶部５０）を含む。
【０１２０】
電源Ｉ／Ｆを押下することにより、撮影装置３００が起動する。ここで、不揮発メモリに保存された撮影設定に関する情報が、「超高感度ＡＦロックモード」が有効であることを示す場合、上記の各構成は次のように動作する。
【０１２１】
カメラ機能制御部は、一方のカメラに対して超高感度モードでの撮影の設定を行うべく、カメラＤＳＰ１に対して超高感度モードの設定指示を出す。カメラＤＳＰ１は、カメラ１を超高感度モードで動作させ、そこで得られる画像情報（撮影画像１ａ）をＡＦロック処理部へ入力する。
【０１２２】
ＡＦロック処理部は、当該画像情報をもとにＡＦロック設定情報（撮影条件２）を生成し、ＡＦロックデータ連携部に入力する。これらの処理とともに、カメラ機能制御部は、もう一方のカメラに対して、画質優先モードでの撮影の設定を行うべく、カメラＤＳＰ２に対して画質優先モードの設定指示を出す。
【０１２３】
カメラＤＳＰ２は、カメラ２を画質優先モードで動作させるとともに、ＡＦロックデータ連携部のＡＦロック情報（撮影条件２）を参照し、被写体の焦点および露光合わせを行い、撮影画像を生成する。そこで得られた撮影画像はファインダー画面（表示部４０）に表示され、ユーザに超高感度ＡＦロック撮影画像（撮影画像１ｂ）として提示される。
【０１２４】
〔その他の変形例〕
前述したように、本発明に係る撮影装置は、単一の撮影部１１を超高感度モードと画質優先モードとを切り替えて動作させることにより、実施の形態１〜３でそれぞれ説明した撮影装置１００、２００、３００と同等の技術的効果を発揮する。この場合、本発明に係る撮影装置は、以下のようにも表現できる。
【０１２５】
すなわち、被写体を撮影する撮影装置であって、前記被写体を第１の撮影モードで撮影する場合は前記被写体の第１の画像を生成し、前記第１の撮影モードとは異なる第２の撮影モードで撮影する場合は前記被写体の第２の画像を生成する撮影手段を備え、前記撮影手段は、前記第１の撮影モードで撮影した後に、当該撮影によって生成された第１の画像の特徴量から導出される設定情報を用いて、前記第２の撮影モードで撮影することによって第２の画像を生成することを特徴とする撮影装置。
【０１２６】
このとき、前記設定情報は、前記撮影手段が前記第１の撮影モードで撮影したときの、前記被写体に対する焦点および露光を示す情報を含み、前記撮影手段は、前記第２の撮影モードで撮影するときは、前記設定情報に含まれる前記焦点を示す情報にしたがって前記被写体に対する焦点を合わせるとともに、前記露光を示す情報にしたがって露光を調整する。
【０１２７】
また、前記撮影装置は、前記第１の画像の特徴量から、前記撮影装置から前記被写体までの距離と前記被写体の輝度とを算出する算出手段をさらに備え、前記撮影手段は、前記第２の撮影モードで撮影するときに、前記算出手段によって算出された前記距離および前記輝度から前記設定情報を決定する。
【０１２８】
また、前記撮影装置は、前記撮影手段が前記第２の撮影モードで撮影することにより生成された第２の画像を表示部に表示してもよく、前記設定情報は、前記撮影手段が前記第１の撮影モードで撮影したときの、前記被写体に対する焦点を示す情報を少なくとも含んでいてもよい。
【０１２９】
〔各実施の形態に含まれる構成（技術的手段）の組み合わせについて〕
上述した実施の形態１−３に含まれる構成は、適宜組み合わせられることに注意する。すなわち、上記の実施の形態１−３で説明したすべての構成は、当該説明に係る実施の形態のみならず、他の実施の形態においても当該構成の全部または一部を組み合わせて利用でき、それによって得られる実施の形態についても本発明の技術的範囲に含まれる。
【０１３０】
さらに換言すれば、本発明は上述した実施の形態に限定されるものではなく、請求項に示した範囲で種々の変更が可能である。すなわち、請求項に示した範囲で適宜変更した技術的手段を組み合わせて得られる実施の形態についても本発明の技術的範囲に含まれる。
【０１３１】
〔ソフトウェアによる実現例〕
最後に、撮影装置１００、撮影装置２００、撮影装置３００の各ブロックは、集積回路（ＩＣチップ）上に形成された論理回路によってハードウェア的に実現してもよいし、ＣＰＵ（Central Processing Unit）を用いてソフトウェア的に実現してもよい。
【０１３２】
後者の場合、撮影装置１００、撮影装置２００、撮影装置３００は、各機能を実現するプログラムの命令を実行するＣＰＵ、上記プログラムを格納したＲＯＭ（Read Only Memory）、上記プログラムを展開するＲＡＭ、上記プログラムおよび各種データを格納するメモリ等の記憶装置（記録媒体）などを備えている。そして、本発明の目的は、上述した機能を実現するソフトウェアである撮影装置１００、撮影装置２００、撮影装置３００の制御プログラムのプログラムコード（実行形式プログラム、中間コードプログラム、ソースプログラム）をコンピュータで読み取り可能に記録した記録媒体を、撮影装置１００、撮影装置２００、撮影装置３００に供給し、そのコンピュータ（またはＣＰＵやＭＰＵ）が記録媒体に記録されているプログラムコードを読み出し実行することによっても、達成可能である。
【０１３３】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０１３４】
また、撮影装置１００、撮影装置２００、撮影装置３００を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１３５】
本発明は、オートフォーカス機能を有する撮影装置に適用できる。特に、コントラスト検出方式に基づくオートフォーカス機能を有するデジタルカメラに好適に適用できる。
【符号の説明】
【０１３６】
１ａ  撮影画像（第１の画像）
１ｂ  撮影画像（第２の画像）
１ｃ  撮影画像（調整後の第２の画像）
２    撮影条件（被写体までの距離、被写体の輝度）
３    コントラスト（第１の画像の特徴量）
４    設定情報（設定情報、被写体に対する焦点および露光を示す情報）
５ａ  ユーザ操作
５ｂ  ユーザ操作（所定の操作）
７    所定の部分（重複した領域の一部または全部）
８ａ  焦点位置（被写体に対する焦点を示す情報）を示す画像（所定の図形）
８ｂ  焦点位置（被写体に対する焦点を示す情報）を示す画像（所定の図形）
９    被写体
１１ａ  撮影部（第１の撮影手段）
１１ｂ  撮影部（第２の撮影手段）
１５    撮影条件算出部（算出手段）
４０    表示部
５０    記憶部
６１    ファインダー表示補正部（指標補正手段）
６２    領域補正部（領域補正手段）
１００    撮影装置
２００    撮影装置
３００    撮影装置
【図１】
2013078090.tif 000003
【図２】
2013078090.tif 000004
【図３】
2013078090.tif 000005
【図４】
2013078090.tif 000006
【図５】
2013078090.tif 000007
【図６】
2013078090.tif 000008
【図７】
2013078090.tif 000009
【図８】
2013078090.tif 000010
【図９】
2013078090.tif 000011